(57)【要約】【課題】紙幣を１枚づつ搬送して集積したときは集積ジャムが発生するのを防止し、かつ紙幣を束で搬送したときは紙幣搬送路の途中で詰まって搬送できなくなってしまうことを防止するための手段を提供する。【解決手段】上搬送ベルト７と、下搬送ベルト１１、紙幣返却部２を備えた紙幣入出金機１であって、上搬送ベルト７と下搬送ベルト１１とで紙幣を１枚づつ搬送するとき、その紙幣の中央付近を押さえるレバー１５を有し、上搬送ベルト７と下搬送ベルト１１とで紙幣を束の状態で搬送する場合に、レバー１５を紙幣の束に接触しない位置に退避させることを特徴とする。【選択図】図１
2007280247.tif 000002
【特許請求の範囲】
【請求項１】
紙幣を搬送する上下の搬送ベルトと、該上下の搬送ベルトに挟持されて搬送された紙幣を集積し、顧客に受け渡す紙幣返却部とを備えた紙幣入出金機であって、
前記上下の搬送ベルトによって紙幣を１枚づつ搬送するとき、その紙幣の中央付近を押さえるレバーを有し、
前記上下の搬送ベルトによって紙幣を束の状態で搬送する場合に、前記レバーを搬送される紙幣の束に接触しない位置に退避させることを特徴とする紙幣入出金機。
【請求項２】
請求項１において、
前記上方の搬送ベルトの一部を押し下げて前記下方の搬送ベルトに押し付ける上下動可能なローラと、該ローラと同軸上に前記レバーを配置し、
前記ローラが、前記上下の搬送ベルトにより搬送される紙幣の束により押し上げられると、前記レバーが退避することを特徴とする紙幣入出金機。
【請求項３】
請求項２において、
前記紙幣返却部に紙幣を束で搬送するときに、
前記下方の搬送ベルトの、紙幣の搬送方向における上流側を下げることで前記上下の搬送ベルト間に紙幣を集積する空間を形成し、
この空間に集積する紙幣の前端を揃えるビルストッパを設け、前記空間を形成する際に前記ビルストッパにより前記ローラを押し上げることを特徴とする紙幣入出金機。
【請求項４】
請求項１、請求項２または請求項３において、
回転する入力軸ギアと、該入力軸ギアにかみ合う位置に移動して前記上方の搬送ベルトに回転を伝達するギアと、前記入力軸ギアにかみ合う位置に移動して前記下方の搬送ベルトに回転を伝達するギアプーリとを備え、
前記紙幣返却部に紙幣を束で搬送するときは、前記ギアと前記ギアプーリとを前記入力軸ギアにかみ合わせ、
紙幣を１枚づつ搬送するときは、前記ギアプーリのみを前記入力軸ギアにかみ合わせることを特徴とする紙幣入出金機。
【発明の詳細な説明】
【技術分野】
【０００１】
本発明は、現金自動取引装置等の現金取扱装置に使用される紙幣入出金機に関する。
【背景技術】
【０００２】
従来の紙幣入出金機は、入金取引を行う場合に、顧客が投入した紙幣の内、金種を鑑別できないリジェクト紙幣を出金一時保留部に搬送して集積し、集積したリジェクト紙幣の束をそのまま紙幣返却部に搬送している。また出金取引を行う場合も同様に、出金金額分の紙幣を出金一時保留部に搬送して集積し、その集積した紙幣の束をそのまま紙幣返却部へ搬送している（例えば、特許文献１参照。）。
【特許文献１】特開２００３−２２６４４２号公報（段落００４７−００５１、第１図）
【発明の開示】
【発明が解決しようとする課題】
【０００３】
しかしながら、上述した従来の技術においては、出金取引において顧客に払出す紙幣を出金一時保留部に搬送して集積してから、その集積した紙幣を束のまま出金口に搬送しているために取引にかかる時間が延びてしまう。
そのため、出金取引の際には紙幣を１枚づつ直接出金口へ搬送して集積していき、出金金額分の紙幣の搬送が終了した後に出金口に設置しているシャッタを開いて顧客に払出すことで、顧客との取引時間を短縮して効率化を図るようにしている。
【０００４】
このとき、集積する紙幣による集積ジャムの発生を防止するために、出金口の手前で紙幣がその搬送方向に対する上下方向に波を打つように紙幣搬送路を形成しているが、その波打つように形成された紙幣搬送路は、紙幣が１枚のときは通過できるが、束となった紙幣ではその厚みが大きくなるほど剛性が高くなるため、紙幣の束が波を打つように曲がらずに、紙幣搬送路の途中で詰まって搬送できなくなってしまうという問題がある。
【０００５】
本発明は、上記の問題点を解決するために、紙幣を１枚づつ搬送して集積したときは集積ジャムを防止し、かつ紙幣を束で搬送したときは紙幣搬送路の途中で詰まって搬送できなくなってしまうことを防止するための手段を提供することを目的とする。
【課題を解決するための手段】
【０００６】
本発明は、上記課題を解決するために、紙幣を搬送する上下の搬送ベルトと、該上下の搬送ベルトに挟持されて搬送された紙幣を集積し、顧客に受け渡す紙幣返却部とを備えた紙幣入出金機であって、前記上下の搬送ベルトによって紙幣を１枚づつ搬送するとき、その紙幣の中央付近を押さえるレバーを有し、前記上下の搬送ベルトによって紙幣を束の状態で搬送する場合に、前記レバーを搬送される紙幣の束に接触しない位置に退避させることを特徴とする。
【発明の効果】
【０００７】
これにより、本発明は、レバーで紙幣を押さえることでＵ字状にして腰を付けた状態で、紙幣返却部に集積するので集積ジャムが発生するのを防止でき、さらに紙幣を束で搬送する場合には、レバーを退避させることで紙幣の束にレバーが当たって搬送が妨げられてしまうことを防止できるという効果が得られる。
【発明を実施するための最良の形態】
【０００８】
以下に、図面を参照して本発明による紙幣入出金機の実施例について説明する。
【実施例１】
【０００９】
図１は実施例１の紙幣入出金機を示す説明図、図２は実施例１の紙幣入出金機を矢印Ａ方向に見た矢視図である。
図１において、１は紙幣入出金機である。
２は紙幣返却部であり、入金取引や振込取引等の顧客が紙幣を投入する取引において、図示しない鑑別部で鑑別できなかったリジェクト紙幣を集積する他、顧客との出金取引では顧客へ払い出す紙幣を集積し、図示しないシャッタを開くことで集積したリジェクト紙幣や出金紙幣を顧客に受け渡す。
【００１０】
３は搬送路であり、上搬送ローラ４、５に巻き掛けられる無端状の上搬送ベルト７等の上ベルト部８や、下搬送ローラ９、１０に巻き掛けられる無端状の下搬送ベルト１１等の下ベルト部１２によって構成されており、上搬送ベルト７と下搬送ベルト１１とで紙幣を挟持し、紙幣返却部２へ搬送する方向に回転することによってその紙幣を所定の速度で紙幣返却部２に搬送する。
【００１１】
上搬送ローラ４、５は、その付されている番号の若い順に紙幣返却部２の側に配され、上搬送ローラ４にはスプリング１３が取り付けられることで、下方への付勢力が作用してその位置が下げられている。
６はテンションローラであり、上搬送ローラ４、５間で図２に示すように所定の間隔で２個並べて配されており、上下動可能に構成される。このテンションローラ６はスプリング１４が取り付けられて下方への付勢力が作用してその位置が下げられている。
【００１２】
下搬送ローラ９は、上搬送ローラ４とテンションローラ６間の下方に配され、下搬送ローラ１０は上搬送ローラ５とテンションローラ６間の下方に配される。
上搬送ベルト７は、テンションローラ６がスプリング１４からの下方への付勢力によって位置が下げられているのに伴って、下搬送ベルト１１に押し付けられるように押し下げられて撓んでいる状態となっている。
【００１３】
このようにしたことによって、搬送路３は紙幣の搬送方向の上下に波を打つようになっている。
下ベルト部１２は、下搬送ベルト１１が上搬送ベルト７に対して平行になっている状態を基準状態とし、下搬送ローラ９を回転中心に下搬送ベルト１１が下方に回転するように下搬送ローラ１０が移動するように構成されており、これによって上ベルト部８と下ベルト部１２との空間を空けている。
【００１４】
上記の上ベルト部８と下ベルト部１２との空間が紙幣の束を集積するための紙幣束集積部として機能する。
１５はレバーであり、図２に示すようにテンションローラ６の回転軸６ａのテンションローラ６間に回転自在に取り付けられており、図示しないスプリングによって通常は上搬送ローラ４側の端部を下搬送ローラ９間に突出するように傾けることで、搬送路３を通過する紙幣の中央付近を押さえる。
【００１５】
またレバー１５は、下搬送ローラ９間に突出している端部の先端が下搬送ローラ９の真上か、真上よりも僅かに紙幣の搬送方向の上流側に位置するようにその長さが決められている。
１６はレバーストッパであり、レバー１５の上搬送ローラ５側の端部上方に位置しており、図１におけるレバー１５の時計周りの回転を規制する。
【００１６】
１７はビルストッパであり、図示しない下ベルト部１２のサイドフレームに回動自在に設けられたストッパシャフト１７ａに下搬送ベルト１１との干渉を避けるように設けられ、下ベルト部１２を下方に回転させて紙幣束集積部を設けるときに、連動して図１に示す反時計回りに回転して鉛直方向に立つことで、紙幣束集積部に集積する紙幣の搬送方向の前端を揃える。
【００１７】
図２において、１９は下搬送ローラ９と一体となっている腰付けボスであり、下搬送ローラ９の径よりも大きい径に形成している。
そのため、搬送される紙幣は腰付けボス１９を通過することで、搬送方向における左右両端が持ち上げられて腰を付けて紙幣返却部２に集積させる。
上述した構成の作用について説明する。
【００１８】
顧客との間で紙幣の入金取引を行う場合、顧客により投入される紙幣を鑑別部へ搬送して金種鑑別を行い、金種を鑑別した紙幣はその金種に応じて図示しない金種別紙幣収納部に搬送するが、金種を鑑別できないリジェクト紙幣は顧客に返却している。
そのため、基準状態にある下ベルト部１２の下搬送ローラ１０側を下げ、それに連動させてビルストッパ１７を上方に回転させ、紙幣束集積部を設けることで搬送路３の上流から搬送されるリジェクト紙幣を紙幣束集積部に集積する。
【００１９】
そして、全てのリジェクト紙幣を集積して下ベルト部１２を基準状態に戻したときに、リジェクト紙幣の束が上搬送ベルト７と下搬送ベルト１１との間に挟まれ、その束の厚みによってスプリング１４の付勢力に抗してテンションローラ６が持ち上げられる。
ここで、図３はリジェクト紙幣を搬送している様子を示す説明図である。
図３に示すように、テンションローラ６が持ち上げられることによって下搬送ベルト１１の撓みが無くなるので、搬送路３の波を打つようになっている箇所が平坦に近い状態となる。
【００２０】
ここでレバー１５は、テンションローラ６の回転軸６ａに取り付けられているため、テンションローラ６と共に持ち上げられるが、上搬送ローラ５側の端部はレバーストッパ１６によって規制されて上方に動かないので、上搬送ローラ４側の端部が上方に回転して下ベルト部１２から退避する。
搬送路３は、挟持しているリジェクト紙幣の束を紙幣返却部２に搬送することで紙幣返却部２にリジェクト紙幣を集積し、紙幣返却部２のシャッタを開くことで顧客にリジェクト紙幣を返却する。
【００２１】
一方、顧客との間で紙幣の出金取引を行う場合は、図示しない金種別紙幣収納部から繰出されて搬送路３の上流から搬送された紙幣は、上ベルト部８と下ベルト部１２とに挟持されてさらに搬送される。
ここで、図４は顧客に出金する紙幣を搬送している様子を示す説明図、図５はレバーと腰付けボスとによって腰を付けた紙幣を示す説明図である。
【００２２】
図４に示すように、搬送される紙幣は、テンションローラ６の下方を通って下搬送ローラ９の上方に差し掛かるときに下搬送ローラ９側に傾いている状態のレバー１５によって中央付近が押さえられながら、下搬送ローラ９と一体の腰付けボス１９によって両端部が持ち上げられる。
そのため、図５に示すように紙幣は強制的にＵ字状に湾曲する状態となり、そのまま紙幣返却部２に放出されて集積される。
【００２３】
以上説明したように、本実施例では、紙幣を１枚づつ搬送する場合、腰付けボスでその紙幣の両端部を持ち上げる際にレバーで紙幣の中央付近を押さえて確実にＵ字状にし、腰を付けた状態にするので、紙幣返却部に集積する際に集積ジャムが発生するのを防止できる。
また、リジェクト紙幣等のように束で紙幣を搬送する場合には、束の厚みでレバーを取り付けている回転軸を押し上げることで、レバーが束の紙幣に接触しない位置に退避するので、レバーが紙幣の束に当たることによって搬送を妨げとなるのを防止できる。
【００２４】
さらに、紙幣の束を上ベルト部と下ベルト部とで挟持した場合に、下搬送ベルトを撓ませる上搬送ローラが持ち上がるので、搬送方向に対して上下に波を打つように形成した搬送路が平坦に近い状態となって紙幣の束が搬送路の途中で詰まってしまうのを防止できる。
【実施例２】
【００２５】
本実施例の紙幣入出金機の構成は上記実施例１と同様であるが、本実施例ではビルストッパ１７が回転して上方に向くときに、テンションローラ６を上方に押し上げるようにしている。
図６は実施例２の紙幣入出金機を示す説明図、図７は実施例２のビルストッパの動作を示す説明図である。
【００２６】
図６、図７において、ビルストッパ１７は、その回転の支点が上記の回転軸６ａの真下となる位置に配されており、先端を円弧面２０と平らになっている支持面２１とで形成し、回転の支点を回転軸６ａの下方に配置する。
これにより、下ベルト部１２の回転に連動してビルストッパ１７が上方に回転したときに、先ず円弧面２０が回転軸６ａに当接して回転軸６ａを押し上げ、鉛直方向まで回転したときには支持面２１の上に回転軸６ａが載る。
【００２７】
回転軸６ａが支持面２１上に載ることでテンションローラ６が、撓ませている上搬送ベルト７および下搬送ベルト１１から離れるように押し上げられた状態となる。
図７において、２２は、下ベルト部１２が回転して上ベルト部８との間に広がる空間である紙幣束集積部であり、上述した実施例１に示すリジェクト紙幣のように紙幣を束のまま紙幣返却部２に搬送する場合にその束にする紙幣を集積する。
【００２８】
上記の構成の作用について説明する。
なお、本実施例における出金取引に関する動作は上記実施例１と同様であるのでその説明を省略する。
顧客との間で紙幣の入金取引を行う場合、顧客により投入される紙幣を鑑別部へ搬送して金種鑑別を行い、金種を鑑別した紙幣はその金種に応じて図示しない金種別紙幣収納部に搬送するが、金種を鑑別できない、あるいは分離不良等により斜行や２枚重なってしまう等の集積に適さないリジェクト紙幣は顧客に返却している。
【００２９】
そのため、基準状態にある下ベルト部１２の下搬送ローラ１０側を下げ、それに連動させてビルストッパ１７を上方に回転させ、紙幣束集積部２２を設けることで搬送路３の上流から搬送されるリジェクト紙幣を紙幣束集積部２２に集積する。
このとき図７に示すように、ビルストッパ１７の円弧面２０によって回転軸６ａを押し上げるように案内し、ビルストッパ１７が鉛直方向となる位置に回転して停止したときに、支持面２１が回転軸６ａを押し上げたままの状態となる。
【００３０】
これによって、テンションローラ６は上搬送ベルト７と下搬送ベルト１１から離れるように持ち上げられるため、図７に示すようにビルストッパ１７の搬送方向の下流側のスペースが広がり、紙幣束集積部２２がさらに広がるようになる。
そして搬送路３の上流から搬送されたリジェクト紙幣は、上ベルト部８と下ベルト部１２との間に放出され、下ベルト部１２に集積する。
【００３１】
そして、全てのリジェクト紙幣を集積した後、下ベルト部１２を基準状態に戻すことでビルストッパ１７は下方に回転するが、テンションローラ６は集積したリジェクト紙幣の束の厚みによって持ち上げられた状態のままとなる。
テンションローラ６が持ち上げられることによって下搬送ベルト１１の撓みが無くなるので、搬送路３の波を打つようになっている箇所が平坦に近い状態となる。
【００３２】
ここでレバー１５は、テンションローラ６の回転軸６ａに取り付けられているため、テンションローラ６と共に持ち上げられるが、上搬送ローラ５側の端部はレバーストッパ１６によって規制されて上方に動かないので、上搬送ローラ４側の端部が上方に回転して下ベルト部１２から退避する。
搬送路３は、挟持しているリジェクト紙幣の束を紙幣返却部２に搬送することで紙幣返却部２にリジェクト紙幣を集積し、紙幣返却部２のシャッタを開くことで顧客にリジェクト紙幣を返却する。
【００３３】
リジェクト紙幣の搬送が終了すると、図示しないシャッタを開くことによって顧客にリジェクト紙幣を返却する。
以上説明したように、本実施例では、上記実施例１と同様の効果に加えて、リジェクト紙幣を集積する際のビルストッパを回転させて立てたときに、そのビルストッパで上搬送ローラを押し上げ、ビルストッパよりも搬送方向の下流側の空間を空けるようにしたので、ビルストッパよりも下流側に紙幣が入る隙間が狭い場合に斜行した状態で紙幣束集積部に放出されたリジェクト紙幣の先端部が狭くなった搬送用のベルトに挟まれて斜行したままの状態で停止してしまい後続の紙幣と追突することで集積ジャムの原因となってしまうことを防止できる。
【００３４】
また、上搬送ローラを押し上げることによりリジェクト紙幣を集積したときの天井となる上搬送ベルトの高さが高くなり、紙幣束集積部を広くできるので、リジェクト紙幣を集積できる枚数を増やすことが可能となる。
【実施例３】
【００３５】
図８は実施例３の搬送路を示す斜視図である。
図８において、本実施例の上ベルト部８は、複数の搬送ローラ３１を配置する第１のローラシャフト３２と、紙幣の搬送方向の上流側で第１のローラシャフト３２と平行に並び、かつ前記搬送ローラ３１に対向配置される複数の搬送ローラ３３を取り付けている第２のローラシャフト３４、上記の搬送ローラ３１、３３に巻きかける上搬送ベルト７等によって構成される。
【００３６】
なお、搬送ローラ３１、３３はワンウェイクラッチが取り付けられており、これによって第１のローラシャフト３２および第２のローラシャフト３４が図８に示す時計方向に回転するときは第１のローラシャフト３２および第２のローラシャフト３４と一体になって回転し、反時計方向の回転に対しては空転するようになっている。
また、第１のローラシャフト３２と第２のローラシャフト３４とは、互いの間で無端状のタイミングベルト３６を掛渡すためのプーリ３７を取り付けている。
【００３７】
このタイミングベルト３６には、外側に向かって突出する突起部３６ａが設けられており、この突起部３６ａが紙幣に当たることで、その紙幣を押し出すようにしている。
第２のローラシャフト３４には、可動式ギア４１とかみ合うシャフトギア３９を有しており、そのシャフトギア３９に可動式ギア４１からの回転が伝達する。
可動式ギア４１は、常にシャフトギア３９とかみ合っており、かつ図示しない駆動機構によって、下方に配されている入力軸ギア４２にかみ合う位置と離れる位置とを移動するように構成されている。
【００３８】
入力軸ギア４２は、図示しない駆動モータに取り付けられ、駆動モータの駆動によって回転するものであり、可動式ギア４１とかみ合っている場合は回転を可動式ギア４１、シャフトギア３９を介して第２のローラシャフト３４に伝達する。
そして、第２のローラシャフト３４が回転することで、その回転がタイミングベルト３６を介して第１のローラシャフト３２に伝わり、第１のローラシャフト３２と第２のローラシャフト３３とが同期して回転する。
【００３９】
４３は中間シャフトであり、上記の第１のローラシャフト３２と第２のローラシャフト３４間でこれらと平行で、かつ上搬送ベルト７に挿し通るように配置されている。また中間シャフト４３は上搬送ベルト７に挿通している箇所に中間ローラ４３ａを回転可能に取り付けており、また中央部には本実施例のレバー１５を配している。
中間シャフト４３は上記実施例１、実施例２に示すテンションローラ６と同様に図示しないスプリングからの下方への付勢力によって位置が下げられている。
【００４０】
これによって、位置の下がった中間ローラ４３ａが上搬送ベルト７と下搬送ベルト１１とを押し下げて撓ませている状態となる。
レバー１５は、上記各実施例と同様にして中間シャフト４３に回転自在に取り付けられ、図示しないスプリングによって下ベルト部１２に向かって突き出るように傾けられることで、搬送路３を通過する紙幣の中央付近を押さえるようにしている。またレバー１５は、その搬送方向上流側の端部が図示しないレバーストッパによって規制されているために図８における時計回りの回転が規制される。
【００４１】
本実施例の下ベルト部１２は、第１のローラシャフト３２の下方で平行に配されている下搬送シャフト４６と、各搬送ローラ３１の下方で下搬送シャフト４６に取り付けられる下搬送ローラ４７、下搬送ローラ４７よりも紙幣の搬送方向の上流側に位置して下搬送ローラ４７との間で無端状の下搬送ベルト１１を掛渡している可動ローラ４９等によって構成されている。
【００４２】
下ベルト部１２は、下搬送ベルト１１が上搬送ベルト７に対して平行になっている状態を基準状態とし、下搬送シャフト４６を回転中心に下搬送ベルト１１が下方に回転するように可動ローラ４９が移動するように構成されており、これによって上ベルト部８と下ベルト部１２との空間を空けている。
５５はギアプーリであり、下搬送シャフト４６に取り付けられており、搬送方向の上流側に位置する可動ギアプーリ５６との間で無端状の伝達ベルト５７を掛渡している
可動ギアプーリ５６は、図示しない駆動機構によって上記の入力軸ギア４２とかみ合う位置と、入力軸ギア４２から離れるように下方に下がる位置とで移動可能に構成されている。
【００４３】
そのため、可動ギアプーリ５６が入力軸ギア４２とかみ合っている場合、入力軸ギア４２が駆動すると、その回転が可動ギアプーリ５６、伝達ベルト５７、ギアプーリ５５を介して下搬送シャフト４６に伝わる。
そして、下搬送シャフト４６の回転によって下搬送ローラ４７、下搬送ベルト１１および可動ローラ４９が回転する。
【００４４】
５８は舌片部であり、下搬送シャフト４６に取り付けられており、下搬送シャフト４６の回転に伴って回転することで、図示しない紙幣返却部に放出した紙幣を叩き落して集積し、その集積した紙幣を押さえつけるように動作する。
上記の構成の作用について説明する。
顧客との間で紙幣の入金取引を行う場合、顧客により投入される紙幣を鑑別部へ搬送して金種鑑別を行い、金種を鑑別した紙幣はその金種に応じて図示しない金種別紙幣収納部に搬送するが、金種を鑑別できないリジェクト紙幣は顧客に返却している。
【００４５】
そのため、基準状態にある下ベルト部１２が下方に傾くように可動ローラ４９を下げ、上記実施例２と同様にして上ベルト部８と下ベルト部１２との間にリジェクト紙幣を集積するための紙幣束集積部を設けてそこにリジェクト紙幣を集積する。
このとき、可動式ギア４１と可動ギアプーリ５６とを、入力軸ギア４２とかみ合わない位置で待機させておき、上ベルト部８と下ベルト部１２とを駆動しないようにする。
【００４６】
搬送されたリジェクト紙幣は、上ベルト部８と下ベルト部１２との間に放出され、紙幣束集積部に集積する。
そして、顧客が投入した紙幣を金種別紙幣収納部へ搬送し、全てのリジェクト紙幣を紙幣束集積部に集積した後、下ベルト部１２を基準状態に戻すことで中間ローラ４３ａと中間シャフト４３とがリジェクト紙幣の束の厚みによって押し上げられる。
【００４７】
中間ローラ４３ａによって押し上げられる上搬送ベルト７と下搬送ベルト１１の撓みが緩和されて平坦に近い状態となる。
また、中間シャフト４３に取り付けられているレバー１５も押し上げられる。その際に紙幣の搬送方向の上流側の端部が規制されているため、押し上げられる中間ローラ４３の下ベルト部１２に突出ている方の端部が下ベルト部１２から退避するように上方に回転する。
【００４８】
ここで、図９は実施例３のリジェクト紙幣の束を搬送する際の様子を示す説明図である。
図９に示すように、リジェクト紙幣の束を搬送する場合は可動式ギア４１と可動ギアプーリ５６とを、入力軸ギア４２にかみ合う位置まで移動させておくことで、入力軸ギア４２が駆動したときの回転を可動式ギア４１と可動ギアプーリ５６を介して第１のローラシャフト３２および第２のローラシャフト３４にそれぞれ伝達して上搬送ベルト７と下搬送ベルト１１とを同時に回転させる。
【００４９】
これは紙幣の束を搬送する際は、上搬送ベルト７あるいは下搬送ベルト１１のどちらか一方が停止あるいは従動式であると紙幣の束がずれが起きてしまうため、上搬送ベルト７と下搬送ベルト１１とを同時に回転させなくては、紙幣を束の状態を保ったまま搬送できないためである。
なお、このとき第１のローラシャフト３２が回転するためにタイミングベルト３６も回転する。
【００５０】
そして、上ベルト部８と下ベルト部１２とに挟持されるリジェクト紙幣の束は、図示しない紙幣返却部に搬送され、搬送が終了した後紙幣返却部のシャッタを開くことで顧客にリジェクト紙幣を返却する。
次に、顧客との間で紙幣の出金取引を行う場合について説明する。
上記の入金取引においてはリジェクト紙幣を紙幣束集積部に集積した後、その集積したリジェクト紙幣の束を紙幣返却部に搬送するのに対し、出金取引では金種別紙幣収納部から１枚づつ繰出される紙幣をそのまま紙幣返却部に搬送するようにしている。
【００５１】
ここで、図１０は実施例３の紙幣を１枚で搬送するときの様子を示す説明図である。
出金取引のように顧客に払出す紙幣を１枚づつ紙幣返却部に搬送するときは、図１０に示すように可動式ギア４１は入力軸ギア４２とかみ合わない位置で待機させておき、可動ギアプーリ５６は入力軸ギア４２とかみ合う位置まで移動させる。
これにより、入力軸ギア４２が駆動したときの回転が可動ギアプーリ５６を介して第２のローラシャフト３４に伝達して下搬送ベルト１１が回転する。
【００５２】
そして、下搬送ベルト１１の上流から搬送された紙幣は、回転する下搬送ベルト１１によってさらに搬送される。
このとき中間ローラ４３ａが上搬送ベルト７と下搬送ベルト１１とを押し下げることで、下搬送ベルト１１と上搬送ベルト７とが接触している状態なので、下搬送ベルト１１の回転が上搬送ベルト７を介して搬送ローラ３１、３３に伝わる。
【００５３】
このとき、搬送ローラ３１、３３に伝わる回転の方向は、ワンウェイクラッチが第１のローラシャフト３２および第２のローラシャフト３４に対して空転する回転であるため、第１のローラシャフト３２および第２のローラシャフト３４は静止したままとなっている。
そのため、タイミングベルト３６は静止している状態となる。
【００５４】
そして、紙幣が中間ローラ４３ａの下方を通ってギアプーリ５５の上方に差し掛かるときに、レバー１５によって中央付近が押されて強制的にＵ字状となり、そのまま紙幣返却部２に放出されて集積される。
以上説明したように、本実施例では、上記実施例１の効果に加えて、上ベルト部の搬送ローラにワンウェイクラッチを取り付け、紙幣を１枚で搬送する場合に第１のローラシャフトと第２のローラシャフトを回転させずに搬送ローラの空転によって上搬送ベルトを従動的に回転させるようにしたことによって、紙幣の束を搬送する際は上搬送ベルトと下搬送ベルトの両方を駆動することが必須とされるが、紙幣を１枚で搬送する場合に上搬送ベルトと下搬送ベルトとの表面の速度差が生じることで良好な搬送を行えなくなってしまうことを防止し、紙幣を束で搬送する場合と１枚で搬送する場合とに合わせて良好な状況での搬送を行うことができる。
【００５５】
また、従来ではタイミングベルトの位置決め等のために、上搬送ベルトとタイミングベルトの駆動を独立させる必要があり、通常上搬送ベルトと下搬送ベルト、タイミングベルトの駆動伝達は入力軸ギアとかみ合う３つのギアを用いていたが、ワンウェイクラッチを搬送ローラへ内蔵することで、可動式ギアのみで上搬送ベルトとタイミングベルトの駆動伝達を兼ねることができ、構造を簡素化できる。
【図面の簡単な説明】
【００５６】
【図１】実施例１の紙幣入出金機を示す説明図
【図２】実施例１の紙幣入出金機を矢印Ａ方向に見た矢視図
【図３】リジェクト紙幣を搬送している様子を示す説明図
【図４】顧客に出金する紙幣を搬送している様子を示す説明図
【図５】レバーと腰付けボスとによって腰を付けた紙幣を示す説明図
【図６】実施例２の紙幣入出金機を示す説明図
【図７】実施例２のビルストッパの動作を示す説明図
【図８】実施例３の紙幣入出金機を示す説明図
【図９】実施例３のリジェクト紙幣の束を搬送する際の様子を示す説明図
【図１０】実施例３の紙幣を１枚で搬送するときの様子を示す説明図
【符号の説明】
【００５７】
１    紙幣入出金機
２    紙幣返却部
３    搬送路
４、５  上搬送ローラ
６    テンションローラ
６ａ  回転軸
７    上搬送ベルト
８    上ベルト部
９、１０  下搬送ローラ
１１  下搬送ベルト
１２  下ベルト部
１３、１４  スプリング
１５  レバー
１６  レバーストッパ
１７  ビルシャフト
１９  腰付けボス
２０  曲面
２１  支持面
２２  紙幣束集積部
３１、３３  搬送ローラ
３２  第１のローラシャフト
３４  第２のローラシャフト
３６  タイミングベルト
３６ａ  突起部
３７  プーリ
３９  シャフトギア
４１  可動式ギア
４２  入力軸ギア
４３  中間シャフト
４３ａ  中間ローラ
４６  下搬送シャフト
４７  下搬送ローラ
４９  可動ローラ
５５  ギアプーリ
５６  可動ギアプーリ
５７  伝達ベルト
５８  舌片部
【図１】
2007280247.tif 000003
【図２】
2007280247.tif 000004
【図３】
2007280247.tif 000005
【図４】
2007280247.tif 000006
【図５】
2007280247.tif 000007
【図６】
2007280247.tif 000008
【図７】
2007280247.tif 000009
【図８】
2007280247.tif 000010
【図９】
2007280247.tif 000011
【図１０】
2007280247.tif 000012